(57)【要約】  冷凍サイクル装置は、圧縮機、流路切替装置、室外熱交換器、膨張部及び室内熱交換器が配管により接続され、冷媒が流れる冷媒回路と、室外熱交換器に室外空気を流通させる室外送風機と、室外空気の温度を検出する外気温度検出部と、室外送風機の動作を制御する制御部と、を備え、制御部は、外気温度検出部によって検出された室外空気の温度に基づいて設定時間後の露点温度を予測する露点温度予測手段と、暖房運転時に室外熱交換器に流れる冷媒の設定時間後の蒸発温度を予測する蒸発温度予測手段と、蒸発温度予測手段が予測した蒸発温度が、露点温度予測手段が予測した露点温度を上回るように、室外送風機の回転数を変化させる送風制御手段と、を有する。
2019073514.tif 000002
【特許請求の範囲】
【請求項１】
圧縮機、流路切替装置、室外熱交換器、膨張部及び室内熱交換器が配管により接続され、冷媒が流れる冷媒回路と、
前記室外熱交換器に室外空気を流通させる室外送風機と、
前記室外空気の温度を検出する外気温度検出部と、
前記室外送風機の動作を制御する制御部と、を備え、
前記制御部は、
前記外気温度検出部によって検出された室外空気の温度に基づいて設定時間後の露点温度を予測する露点温度予測手段と、
暖房運転時に前記室外熱交換器に流れる冷媒の設定時間後の蒸発温度を予測する蒸発温度予測手段と、
前記蒸発温度予測手段が予測した蒸発温度が、前記露点温度予測手段が予測した露点温度を上回るように、前記室外送風機の回転数を変化させる送風制御手段と、
を有する冷凍サイクル装置。
【請求項２】
前記制御部は、
通常運転を行う通常モードと、前記通常モードよりも前記室外送風機の最大回転数を規制して騒音を抑える運転を行うサイレントモードと、を有し、
暖房運転時に前記サイレントモードを実行するモード実行手段を更に有し、
前記送風制御手段は、
前記モード実行手段が前記サイレントモードを実行した場合、前記蒸発温度が前記露点温度を上回るように、前記室外送風機の回転数を変化させるものである
請求項１記載の冷凍サイクル装置。
【請求項３】
前記送風制御手段は、
前記蒸発温度が、前記露点温度に設定下限値を加算した蒸発下限閾値を上回るように、前記室外送風機の回転数を変化させるものである
請求項２記載の冷凍サイクル装置。
【請求項４】
前記送風制御手段は、
前記蒸発温度が、前記露点温度に設定上限値を加算した蒸発上限閾値を下回るように、前記室外送風機の回転数を変化させるものである
請求項３記載の冷凍サイクル装置。
【請求項５】
前記制御部は、
前記送風制御手段が前記室外送風機の回転数を変化させているときにデフロスト運転が開始された場合、前記設定下限値及び前記設定上限値に補正値を加算する閾値補正手段を更に有する
請求項４記載の冷凍サイクル装置。
【請求項６】
前記送風制御手段は、
前記モード実行手段が前記サイレントモードを実行した場合、前記室外送風機の回転数を初期サイレント回転数に低下させた後、前記露点温度と前記蒸発温度とに基づいて前記室外送風機の回転数を変化させるものである
請求項２〜５のいずれか１項に記載の冷凍サイクル装置。
【請求項７】
前記送風制御手段は、
前記室外送風機の回転数を、回転数上限閾値を超えない範囲で変化させるものである
請求項１〜６のいずれか１項に記載の冷凍サイクル装置。
【請求項８】
前記制御部は、
前記圧縮機の運転周波数を、周波数上限閾値を超えない範囲で変化させる圧縮制御手段を更に有する
請求項１〜７のいずれか１項に記載の冷凍サイクル装置。
【請求項９】
前記室外熱交換器に流れる冷媒の液管温度を検出する液管温度検出部を更に備え、
前記蒸発温度予測手段は、
前記液管温度検出部によって検出された液管温度に基づいて、前記蒸発温度を予測するものである
請求項１〜８のいずれか１項に記載の冷凍サイクル装置。
【請求項１０】
前記圧縮機の吸入側に流れる冷媒の低圧圧力を検出する低圧圧力検出部を更に備え、
前記蒸発温度予測手段は、
前記低圧圧力検出部によって検出された低圧圧力に基づいて、前記蒸発温度を予測するものである
請求項１〜９のいずれか１項に記載の冷凍サイクル装置。
【発明の詳細な説明】
【技術分野】
【０００１】
本発明は、デフロスト運転に移行することを抑制する冷凍サイクル装置に関する。
【背景技術】
【０００２】
従来、デフロスト運転を行う冷凍サイクル装置が知られている。デフロスト運転は、暖房運転中に流路切替装置が切り替わり、一時的に冷房運転と同じ冷媒の流れとなって、室外熱交換器に高温の冷媒が流されて、室外熱交換器に付着した霜を溶かすものである。しかし、デフロスト運転に切り替わる際の音が大きく、市場でクレーム対象となるおそれがある。そこで、デフロスト運転に移行することを抑制する空気調和装置が提案されている（例えば特許文献１参照）。特許文献１には、室外熱交換器の蒸発温度が０℃以下とならないように、蒸発圧力値に第１の閾圧力を設けて、室外送風機の回転数を、予め記憶されたテーブルの定数値の範囲内で制御する空気調和装置が開示されている。
【先行技術文献】
【特許文献】
【０００３】
【特許文献１】特開２０１５−６８５９６号公報
【発明の概要】
【発明が解決しようとする課題】
【０００４】
しかしながら、特許文献１に開示された空気調和装置は、蒸発温度が０℃以下にならない蒸発圧力値の第１の閾圧力が、露点温度にかかわらず不変である。ここで、露点温度は、室外空気の湿度等によって変化する。このため、露点温度が変化した場合、室外熱交換器に着霜することを防止することができずデフロスト運転に移行してしまうおそれがある。【０００５】
本発明は、上記のような課題を解決するためになされたもので、デフロスト運転に移行することを抑制する冷凍サイクル装置を提供するものである。
【課題を解決するための手段】
【０００６】
本発明に係る冷凍サイクル装置は、圧縮機、流路切替装置、室外熱交換器、膨張部及び室内熱交換器が配管により接続され、冷媒が流れる冷媒回路と、室外熱交換器に室外空気を流通させる室外送風機と、室外空気の温度を検出する外気温度検出部と、室外送風機の動作を制御する制御部と、を備え、制御部は、外気温度検出部によって検出された室外空気の温度に基づいて設定時間後の露点温度を予測する露点温度予測手段と、暖房運転時に室外熱交換器に流れる冷媒の設定時間後の蒸発温度を予測する蒸発温度予測手段と、蒸発温度予測手段が予測した蒸発温度が、露点温度予測手段が予測した露点温度を上回るように、室外送風機の回転数を変化させる送風制御手段と、を有する。
【発明の効果】
【０００７】
本発明によれば、送風制御手段は、予測された設定時間後の蒸発温度が室外空気の温度に基づいて予測された設定時間後の露点温度を上回るように室外送風機の回転数を変化させる。このように、送風制御手段は、室外空気の温度によって変化する露点温度に対応させて、室外送風機の回転数を変化させる。このため、露点温度が変化しても、室外熱交換器に着霜することを未然に防ぐことができる。従って、冷凍サイクル装置がデフロスト運転に移行することを抑制することができる。
【図面の簡単な説明】
【０００８】
【図１】本発明の実施の形態１に係る冷凍サイクル装置１００を示す回路図である。
【図２】本発明の実施の形態１における液管温度の時間変化を示すグラフである。
【図３】本発明の実施の形態１に係る冷凍サイクル装置１００の動作を示すタイミングチャートである。
【図４】本発明の実施の形態１に係る冷凍サイクル装置１００の動作を示すフローチャートである。
【発明を実施するための形態】
【０００９】
実施の形態１．
以下、本発明に係る冷凍サイクル装置の実施の形態について、図面を参照しながら説明する。図１は、本発明の実施の形態１に係る冷凍サイクル装置１００を示す回路図である。図１に示すように、冷凍サイクル装置１００は、例えば室内空間の空気を調整する空気調和機からなり、室外機２２と、室内機２１とを備えている。室外機２２には、圧縮機１、流路切替装置２、室外熱交換器３、室外送風機１３、第１の静止弁４、第２の静止弁５、低圧圧力検出部１２、液管温度検出部９、外気温度検出部８、モードスイッチ２３及び制御部２０が設けられている。室内機２１には、それぞれ２台の膨張部１０及び室内熱交換器１１が設けられている。
【００１０】
圧縮機１、流路切替装置２、室外熱交換器３、第１の静止弁４、２台の膨張部１０、２台の室内熱交換器１１及び第２の静止弁５が配管により接続されて冷媒回路が構成されている。圧縮機１は、低温且つ低圧の状態の冷媒を吸入し、吸入した冷媒を圧縮して高温且つ高圧の状態の冷媒にして吐出するものである。流路切替装置２は、冷媒回路において冷媒が流れる方向を切り替えるものであり、例えば四方弁である。
【００１１】
室外熱交換器３は、例えば室外空気と冷媒との間で熱交換するものである。室外熱交換器３は、冷房運転時には凝縮器として作用し、暖房運転時には蒸発器として作用する。室外送風機１３は、室外熱交換器３に室外空気を流通させるものであり、ファンモータ７と、ファン６とを有している。ファンモータ７は、ファン６を駆動させるものであり、ファン６は、ファンモータ７によって回転駆動する羽根車である。第１の静止弁４は、室外熱交換器３と膨張部１０とを接続する配管に設けられ、第２の静止弁５は、流路切替装置２と室内熱交換器１１とを接続する配管に設けられている。第１の静止弁４及び第２の静止弁５は、メンテナンス等の際に、室外機２２と室内機２１との間の冷媒の流れを遮断する。
【００１２】
膨張部１０は、冷媒を減圧して膨張する減圧弁又は膨張弁であり、例えば開度が調整される電子式膨張弁からなる。室内熱交換器１１は、例えば室内空気と冷媒との間で熱交換するものである。室内熱交換器１１は、冷房運転時には蒸発器として作用し、暖房運転時には凝縮器として作用する。本実施の形態１では、２台の膨張部１０及び２台の室内熱交換器１１が、それぞれ並列に接続されているが、１台の膨張部１０及び１台の室内熱交換器１１としてもよいし、３台以上の膨張部１０及び３台以上の室内熱交換器１１がそれぞれ並列に接続されてもよい。
【００１３】
低圧圧力検出部１２は、圧縮機１の吸入側に設けられ、圧縮機１の吸入側に流れる冷媒の低圧圧力を検出する。液管温度検出部９は、室外熱交換器３に設けられ、室外熱交換器３に流れる冷媒の液管温度を検出する。外気温度検出部８は、室外空気の温度を検出する。モードスイッチ２３は、サイレントモードに移行する。ここで、サイレントモードとは、室外機２２から発生する騒音を低減するために、室外送風機１３の回転数の上限値を規制するモードである。
【００１４】
（冷房運転）
次に、冷凍サイクル装置１００の運転モードについて説明する。冷凍サイクル装置１００は、運転モードとして、冷房運転、暖房運転及びデフロスト運転を有している。先ず、冷房運転について説明する。冷房運転において、圧縮機１に吸入された冷媒は、圧縮機１によって圧縮されて高温且つ高圧のガス状態で吐出する。圧縮機１から吐出された高温且つ高圧のガス状態の冷媒は、流路切替装置２を通過して、凝縮器として作用する室外熱交換器３に流入し、室外熱交換器３において、室外送風機１３によって送られる室外空気と熱交換されて凝縮して液化する。
【００１５】
凝縮された液状態の冷媒は、第１の静止弁４を通過した後、それぞれの膨張部１０に流入し、膨張部１０において膨張及び減圧されて低温且つ低圧の気液二相状態の冷媒となる。そして、気液二相状態の冷媒は、蒸発器として作用するそれぞれの室内熱交換器１１に流入し、室内熱交換器１１において、室内空気と熱交換されて蒸発してガス化する。このとき、室内空気が冷やされ、室内において冷房が実施される。蒸発した低温且つ低圧のガス状態の冷媒は、第２の静止弁５及び流路切替装置２を通過して、圧縮機１に吸入される。
【００１６】
（暖房運転）
次に、暖房運転について説明する。暖房運転において、圧縮機１に吸入された冷媒は、圧縮機１によって圧縮されて高温且つ高圧のガス状態で吐出する。圧縮機１から吐出された高温且つ高圧のガス状態の冷媒は、流路切替装置２及び第２の静止弁５を通過して、凝縮器として作用するそれぞれの室内熱交換器１１に流入し、室内熱交換器１１において、室内空気と熱交換されて凝縮して液化する。このとき、室内空気が暖められ、室内において暖房が実施される。
【００１７】
凝縮された液状態の冷媒は、それぞれの膨張部１０に流入し、膨張部１０において膨張及び減圧されて低温且つ低圧の気液二相状態の冷媒となる。そして、気液二相状態の冷媒は、第１の静止弁４を通過した後、蒸発器として作用する室外熱交換器３に流入し、室外熱交換器３において、室外送風機１３によって送られる室外空気と熱交換されて蒸発してガス化する。蒸発した低温且つ低圧のガス状態の冷媒は、流路切替装置２を通過して、圧縮機１に吸入される。
【００１８】
（デフロスト運転）
次に、デフロスト運転について説明する。デフロスト運転は、暖房運転時に室外熱交換器３に付着した霜を除去する運転である。デフロスト運転において、圧縮機１に吸入された冷媒は、圧縮機１によって圧縮されて高温且つ高圧のガス状態で吐出する。圧縮機１から吐出された高温且つ高圧のガス状態の冷媒は、流路切替装置２を通過して、室外熱交換器３に流入する。その際、室外熱交換器３に付着した霜が溶かされる。
【００１９】
室外熱交換器３において、室外送風機１３によって送られる室外空気と熱交換されて凝縮して液化した液状態の冷媒は、第１の静止弁４を通過した後、それぞれの膨張部１０に流入する。冷媒は、膨張部１０において膨張及び減圧されて低温且つ低圧の気液二相状態の冷媒となる。そして、気液二相状態の冷媒は、蒸発器として作用するそれぞれの室内熱交換器１１に流入し、室内熱交換器１１において、室内空気と熱交換されて蒸発してガス化する。蒸発した低温且つ低圧のガス状態の冷媒は、第２の静止弁５及び流路切替装置２を通過して、圧縮機１に吸入される。
【００２０】
制御部２０は、例えばマイコンから構成されており、各センサによって得られる検出値に基づいて、圧縮機１の容量、膨張部１０の開度及び室外送風機１３の回転数等を制御する。制御部２０は、通常モードと、サイレントモードとを有している。通常モードは、通常運転を行うものであり、サイレントモードは、通常モードよりも室外送風機１３の最大回転数を規制して騒音を抑える。制御部２０は、露点温度予測手段２４と、蒸発温度予測手段２５と、モード実行手段２６と、送風制御手段２７とを有している。露点温度予測手段２４は、外気温度検出部８によって検出された室外空気の温度に基づいて設定時間後の露点温度を予測するものである。露点温度予測手段２４は、湿度を所定値として仮定した上で、外気温度に基づいて露点温度を予測する。
【００２１】
図２は、本発明の実施の形態１における液管温度の時間変化を示すグラフである。図２において、縦軸は蒸発温度を示し、横軸は時間を示している。蒸発温度予測手段２５は、暖房運転時に室外熱交換器３に流れる冷媒の設定時間後の蒸発温度を予測するものである。蒸発温度予測手段２５は、例えば、液管温度検出部９によって検出された液管温度に基づいて、設定時間後の蒸発温度を予測する。図２に示すように、液管温度は、時間経過によって変化する。液管温度検出部９によって設定時間ｚ毎に検出された液管温度がサンプリングされ、２ｚ時間前の液管温度Ｔ２、ｚ時間前の液管温度Ｔ１及び現時刻の液管温度Ｔ０をプロットしたときの傾きから、設定時間ｚ後の液管温度を予測する。蒸発温度予測手段２５は、設定時間ｚ後の液管温度を蒸発温度と予測する。
【００２２】
モード実行手段２６は、サイレントモードを実行するものである。モード実行手段２６は、圧縮機１が運転中且つ暖房運転時に、モードスイッチ２３が押下された際に、サイレントモードを実行する。
【００２３】
図３は、本発明の実施の形態１に係る冷凍サイクル装置１００の動作を示すタイミングチャートである。図３に示すように、モード実行手段２６がサイレントモードを実行すると、制御部２０は、室外送風機１３の運転周波数を所定値に低下させる。そして、送風制御手段２７は、モード実行手段２６がサイレントモードを実行した場合、蒸発温度予測手段２５が予測した蒸発温度が、露点温度予測手段２４が予測した露点温度を上回るように、室外送風機１３の回転数を変化させるものである。
【００２４】
より具体的には、送風制御手段２７は、露点温度に設定下限値を加算した蒸発下限閾値と露点温度に設定上限値を加算した蒸発上限閾値との間の範囲に蒸発温度が入るように、室外送風機１３の回転数を変化させるものである。このように、送風制御手段２７が、露点温度よりも高い蒸発下限閾値を蒸発温度が上回るようにすることによって、調整範囲にマージンを取り、確実に露点温度を下回ることがないようにすることができる。
【００２５】
また、送風制御手段２７が、蒸発上限閾値を蒸発温度が下回るようにすることによって、室外送風機１３の回転数が過剰に上昇することを抑制している。また、送風制御手段２７は、モード実行手段２６がサイレントモードを実行した場合、先ず、室外送風機１３の回転数を初期サイレント回転数Ｆａｎ０に低下させる。その後、送風制御手段２７は、露点温度と蒸発温度とに基づいて室外送風機１３の回転数を変化させる。
【００２６】
このとき、送風制御手段２７は、ｚ分間隔で室外送風機１３の回転数を変化させる。回転数の変動量ΔＦａｎは初期値を０として、送風制御手段２７が蒸発温度に基づいてΔＦａｎを決定し、ｚ分前の回転数に加算する。変動量ΔＦａｎは、蒸発温度が蒸発下限閾値よりも低い場合に＋αとなり、蒸発温度が蒸発上限閾値よりも高い場合に−αとなる。また、回転数の変動量ΔＦａｎは、蒸発温度が蒸発下限閾値と蒸発上限閾値との間の範囲にある場合、０となり収束する。
【００２７】
図３に示すように、冷凍サイクル装置１００が暖房運転時にサイレントモードに移行すると、室外送風機１３の運転周波数が低下し、室外送風機１３の回転数が低下して、初期サイレント回転数Ｆａｎ０となる。これにより、蒸発温度が低下する。また、騒音値が低下するが、熱交換能力も若干低下する。送風制御手段２７がｚ分毎に室外送風機１３の回転数を更新して、回転数がＦａｎ（ｎ）＝Ｆａｎ（ｎ−１）＋ΔＦａｎとなる。その際、蒸発温度が蒸発下限閾値より低い場合、熱交換能力の低下を抑えるため、送風制御手段２７がＦａｎ（ｎ）＝Ｆａｎ（ｎ−１）＋αとする。一方、蒸発温度が蒸発上限閾値より高い場合、騒音値の増加を抑えるため、送風制御手段２７がＦａｎ（ｎ）＝Ｆａｎ（ｎ−１）−αとする。これにより、冷凍サイクル装置１００は、騒音を抑えつつ、熱交換能力を維持する。従って、デフロスト運転に至らず、騒音の発生を抑えることができる。
【００２８】
図４は、本発明の実施の形態１に係る冷凍サイクル装置１００の動作を示すフローチャートである。次に、冷凍サイクル装置１００の制御部２０の動作について説明する。図４に示すように、圧縮機１が運転中且つ暖房運転時に、モードスイッチ２３が押下された際（ステップＳＴ１のＹｅｓ）、モード実行手段２６がサイレントモードを実行する（ステップＳＴ２）。このとき、送風制御手段２７は、室外送風機１３の回転数を初期サイレント回転数Ｆａｎ０とし、ΔＦａｎを０とする。そして、送風制御手段２７は、ｚ分毎に室外送風機１３の回転数を変化させる。具体的には、送風制御手段２７は、室外送風機１３の回転数Ｆａｎ（ｎ）＝Ｆａｎ（ｎ−１）＋ΔＦａｎという式を用いて、回転数を変化させる（ステップＳＴ３）。
【００２９】
蒸発温度が、露点温度予測手段２４によって予測された露点温度に設定下限値を加算した蒸発下限閾値より小さい場合（ステップＳＴ４のＹｅｓ）、ΔＦａｎ＝＋αであり、Ｆａｎ（ｎ）＝Ｆａｎ（ｎ−１）＋αとなる（ステップＳＴ５）。その後、ステップＳＴ９に移行する。また、蒸発温度が、露点温度予測手段２４によって予測された露点温度に設定上限値を加算した蒸発上限閾値より大きい場合（ステップＳＴ６のＹｅｓ）、ΔＦａｎ＝−αであり、Ｆａｎ（ｎ）＝Ｆａｎ（ｎ−１）−αとなる（ステップＳＴ７）。その後、ステップＳＴ９に移行する。蒸発温度が、蒸発下限閾値以上且つ蒸発上限閾値以下の場合（ステップＳＴ６のＮｏ）、ΔＦａｎ＝０であり、Ｆａｎ（ｎ）＝Ｆａｎ（ｎ−１）となる（ステップＳＴ８）。
【００３０】
ステップＳＴ９では、ｚ分が経過したかが判定される。ｚ分が経過するまで、ステップＳＴ９が繰り返される。ｚ分が経過すると（ステップＳＴ９のＹｅｓ）、ステップＳＴ３に戻る。
【００３１】
本実施の形態１によれば、送風制御手段２７は、予測された設定時間後の蒸発温度が室外空気の温度に基づいて予測された設定時間後の露点温度を上回るように室外送風機１３の回転数を変化させる。このように、露点温度予測手段２４が、室外空気の温度によって変化する設定時間後の露点温度を予測し、送風制御手段２７は、予測された露点温度に対応させて、室外送風機１３の回転数を変化させる。このため、設定時間後に露点温度が変化しても、室外熱交換器３に着霜することを未然に防ぐことができる。従って、冷凍サイクル装置１００がデフロスト運転に移行することを抑制することができる。
【００３２】
また、送風制御手段２７は、モード実行手段２６がサイレントモードを実行した場合、蒸発温度が露点温度を上回るように室外送風機１３の回転数を変化させる。本実施の形態１は、サイレントモードにおいてもデフロスト運転に移行することを抑制することができるため、更に騒音を低減することができる。即ち、室外送風機１３による騒音を低減しつつ、デフロスト運転に移行することを抑制することができる。
【００３３】
従来、室外機から発生する騒音を低減する技術として、室外送風機の回転数の上限値を規制するサイレントモードを有する冷凍サイクル装置が知られている。なお、サイレントモードは、室外送風機の運転周波数の上限値を規制するモードも存在する。従来の空気調和装置は、暖房時にサイレントモードに移行すると、室外送風機の回転数を所定値にまで低下させた後、回転数を変化させない。このため、室外送風機が送る風量が低下して、室外熱交換器に流れる冷媒の蒸発温度が低下する。これにより、外気温度によって決定される露点温度よりも蒸発温度が低い場合、室外熱交換器に霜が付着する。ここで、露点温度は、室外機が設置されている環境の乾球温度及び湿球温度によって変化する。
【００３４】
霜の成長が続くと、霜が風路に対する抵抗となるため、室外空気の量が減少する。また、室外送風機によって送られる室外空気の量が減少することに伴って、室外熱交換器の蒸発温度も低下する。蒸発温度が所定値を下回ると、熱交換能力の低下を回避するため、ホットガスデフロスト運転が実行される。しかし、ホットガスデフロスト運転に切り替わる際に音が発生する。このように、暖房運転時にサイレントモードが使用される場合、デフロスト運転に頻繁に移行することによる騒音の問題が生じる。また、外気温度が０℃以下では、蒸発温度は０℃以下になるため、室外送風機が高い回転数で常時維持されるため、サイレントモードによる騒音低減効果が低下する。
【００３５】
これに対し、本実施の形態１は、室外空気の温度によって変化する露点温度に対応させて、室外送風機１３の回転数を変化させる。このため、露点温度が変化しても、室外熱交換器３に着霜することが抑制される。
【００３６】
なお、送風制御手段２７は、室外送風機１３の回転数を、回転数上限閾値を超えない範囲で変化させるものとして構成されてもよい。これにより、室外送風機１３の回転数が過剰に上昇して、騒音が発生することを抑制することができる。このように、デフロスト運転を回避することよりも騒音の低減を優先することもできる。
【００３７】
なお、制御部２０は、圧縮機１の運転周波数を、周波数上限閾値を超えない範囲で変化させる圧縮制御手段（図示せず）を更に有するように構成されてもよい。これにより、送風制御手段２７が騒音の低減を優先させるために、回転数上限閾値を超えない範囲で室外送風機１３の回転数を変化させた場合も、デフロスト運転を回避することができる。
【００３８】
また、制御部２０は、送風制御手段２７が室外送風機１３の回転数を変化させているときにデフロスト運転が開始された場合、設定下限値及び設定上限値に補正値を加算する閾値補正手段（図示せず）を更に有する。制御部２０は、送風制御手段２７が室外送風機１３の回転数を変化させているときにデフロスト運転が開始された場合、露点温度予測手段２４が露点温度を予測する際に用いられる所定の湿度が、実際の湿度よりも高いと推測する。この場合、設定下限値及び設定上限値に補正値が加算されることにより、デフロスト運転を回避することができる。補正値は、フィードバック制御により決定される。閾値補正手段は、サイレントモードの終了、冷凍サイクル装置１００の停止又は所定時間の経過によって、設定下限値及び設定上限値の補正を終了する。
【００３９】
本実施の形態１では、蒸発温度予測手段２５は、液管温度検出部９によって検出された液管温度に基づいて、蒸発温度を予測する場合について例示している。これに限らず、蒸発温度予測手段２５は、低圧圧力検出部１２によって検出された低圧圧力に基づいて、蒸発温度を予測するものであってもよい。蒸発温度予測手段２５は、低圧圧力の飽和温度換算値を蒸発温度と予測する。これにより、液管温度検出部９を省略することができる。
【００４０】
本実施の形態１では、サイレントモードに移行するためのスイッチとして、モードスイッチ２３を採用している場合について例示している。これに限らず、エンドユーザ又は業者等がリモコン又はリレー等で通信操作することによって、サイレントモードに移行するように構成されてもよい。また、制御部２０が室内制御基板又は室外制御基板として構成されている場合、室内制御基板又は室外制御基板に実装されたスイッチが操作されることによって、サイレントモードに移行するように構成されてもよい。更に、冷凍サイクル装置１００は、時間帯又は外気温度等によって自動的にサイレントモードが実行されるオートモードの機能を有していてもよい。
【符号の説明】
【００４１】
１  圧縮機、２  流路切替装置、３  室外熱交換器、４  第１の静止弁、５  第２の静止弁、６  ファン、７  ファンモータ、８  外気温度検出部、９  液管温度検出部、１０  膨張部、１１  室内熱交換器、１２  低圧圧力検出部、１３  室外送風機、２０  制御部、２１  室内機、２２  室外機、２３  モードスイッチ、２４  露点温度予測手段、２５  蒸発温度予測手段、２６  モード実行手段、２７  送風制御手段、１００  冷凍サイクル装置。
【図１】
2019073514.tif 000003
【図２】
2019073514.tif 000004
【図３】
2019073514.tif 000005
【図４】
2019073514.tif 000006
【手続補正書】
【提出日】令和1年11月25日(2019.11.25)
【手続補正１】
【補正対象書類名】明細書
【補正対象項目名】０００６
【補正方法】変更
【補正の内容】
【０００６】
本発明に係る冷凍サイクル装置は、圧縮機、流路切替装置、室外熱交換器、膨張部及び室内熱交換器が配管により接続され、冷媒が流れる冷媒回路と、室外熱交換器に室外空気を流通させる室外送風機と、室外空気の温度を検出する外気温度検出部と、室外送風機の動作を制御する制御部と、を備え、制御部は、通常運転を行う通常モードと、通常モードよりも室外送風機の最大回転数を規制して騒音を抑える運転を行うサイレントモードと、を有し、外気温度検出部によって検出された室外空気の温度に基づいて設定時間後の露点温度を予測する露点温度予測手段と、暖房運転時に室外熱交換器に流れる冷媒の設定時間後の蒸発温度を予測する蒸発温度予測手段と、蒸発温度予測手段が予測した蒸発温度が、露点温度予測手段が予測した露点温度を上回るように、室外送風機の回転数を変化させる送風制御手段と、暖房運転時にサイレントモードを実行するモード実行手段と、を有し、制御部は、送風制御手段は、モード実行手段がサイレントモードを実行した場合、蒸発温度が露点温度を上回るように、室外送風機の回転数を変化させるものである。
【手続補正２】
【補正対象書類名】特許請求の範囲
【補正対象項目名】全文
【補正方法】変更
【補正の内容】
【特許請求の範囲】
【請求項１】
圧縮機、流路切替装置、室外熱交換器、膨張部及び室内熱交換器が配管により接続され、冷媒が流れる冷媒回路と、
前記室外熱交換器に室外空気を流通させる室外送風機と、
前記室外空気の温度を検出する外気温度検出部と、
前記室外送風機の動作を制御する制御部と、を備え、
前記制御部は、
通常運転を行う通常モードと、前記通常モードよりも前記室外送風機の最大回転数を規制して騒音を抑える運転を行うサイレントモードと、を有し、
前記外気温度検出部によって検出された室外空気の温度に基づいて設定時間後の露点温度を予測する露点温度予測手段と、
暖房運転時に前記室外熱交換器に流れる冷媒の設定時間後の蒸発温度を予測する蒸発温度予測手段と、
前記蒸発温度予測手段が予測した蒸発温度が、前記露点温度予測手段が予測した露点温度を上回るように、前記室外送風機の回転数を変化させる送風制御手段と、
暖房運転時に前記サイレントモードを実行するモード実行手段と、
を有し、
前記制御部は、
前記送風制御手段は、
前記モード実行手段が前記サイレントモードを実行した場合、前記蒸発温度が前記露点温度を上回るように、前記室外送風機の回転数を変化させるものである
冷凍サイクル装置。
【請求項２】
前記送風制御手段は、
前記蒸発温度が、前記露点温度に設定下限値を加算した蒸発下限閾値を上回るように、前記室外送風機の回転数を変化させるものである
請求項１記載の冷凍サイクル装置。
【請求項３】
前記送風制御手段は、
前記蒸発温度が、前記露点温度に設定上限値を加算した蒸発上限閾値を下回るように、前記室外送風機の回転数を変化させるものである
請求項２記載の冷凍サイクル装置。
【請求項４】
前記制御部は、
前記送風制御手段が前記室外送風機の回転数を変化させているときにデフロスト運転が開始された場合、前記設定下限値及び前記設定上限値に補正値を加算する閾値補正手段を更に有する
請求項３記載の冷凍サイクル装置。
【請求項５】
前記送風制御手段は、
前記モード実行手段が前記サイレントモードを実行した場合、前記室外送風機の回転数を初期サイレント回転数に低下させた後、前記露点温度と前記蒸発温度とに基づいて前記室外送風機の回転数を変化させるものである
請求項１〜４のいずれか１項に記載の冷凍サイクル装置。
【請求項６】
圧縮機、流路切替装置、室外熱交換器、膨張部及び室内熱交換器が配管により接続され、冷媒が流れる冷媒回路と、
前記室外熱交換器に室外空気を流通させる室外送風機と、
前記室外空気の温度を検出する外気温度検出部と、
前記室外送風機の動作を制御する制御部と、
前記室外熱交換器に流れる冷媒の液管温度を検出する液管温度検出部と、を備え、
前記制御部は、
前記外気温度検出部によって検出された室外空気の温度に基づいて設定時間後の露点温度を予測する露点温度予測手段と、
暖房運転時に前記室外熱交換器に流れる冷媒の設定時間後の蒸発温度を予測する蒸発温度予測手段と、
前記蒸発温度予測手段が予測した蒸発温度が、前記露点温度予測手段が予測した露点温度を上回るように、前記室外送風機の回転数を変化させる送風制御手段と、
を有し、
前記蒸発温度予測手段は、
前記液管温度検出部によって検出された液管温度に基づいて、前記蒸発温度を予測するものである
冷凍サイクル装置。
【請求項７】
前記送風制御手段は、
前記室外送風機の回転数を、回転数上限閾値を超えない範囲で変化させるものである
請求項１〜６のいずれか１項に記載の冷凍サイクル装置。
【請求項８】
前記制御部は、
前記圧縮機の運転周波数を、周波数上限閾値を超えない範囲で変化させる圧縮制御手段を更に有する
請求項１〜７のいずれか１項に記載の冷凍サイクル装置。
【請求項９】
前記圧縮機の吸入側に流れる冷媒の低圧圧力を検出する低圧圧力検出部を更に備え、
前記蒸発温度予測手段は、
前記低圧圧力検出部によって検出された低圧圧力に基づいて、前記蒸発温度を予測するものである
請求項１〜８のいずれか１項に記載の冷凍サイクル装置。
【国際調査報告】
2019073514.tif 000007
2019073514.tif 000008
2019073514.tif 000009
2019073514.tif 000010